(57)【要約】【課題】稼働率の推移状況とともに、会員遊技者の比率の状況を把握できるようにすること。【解決手段】遊技機２において遊技者が遊技中であるか否かを特定可能な情報と並びに該遊技者が会員遊技者か否かを特定可能な情報が入力される情報入力手段１４９と、該入力された情報に基づいて、所定範囲に属する全遊技機に占める遊技中である遊技機の割合である稼働率を所定の時間帯毎に算出する稼働率算出手段１４２と、前記所定範囲に属する遊技機において遊技中である会員遊技者と非会員遊技者との比率を特定可能な情報を前記所定の時間帯毎に集計および／または算出する会員比率集計・算出手段１４２と、前記稼働率算出手段１４２にて算出された前記稼働率および会員比率集計・算出手段１４２にて集計および／または算出された前記比率を特定可能な情報に基づいて、前記稼働率の推移状況と、会員遊技者と非会員遊技者との比率を特定可能な情報の推移状況とを併せて出力する出力手段１４７を備える。【選択図】    図９
2004298250.tif 000002
【特許請求の範囲】
【請求項１】
遊技機において遊技者が遊技中であるか否かを特定可能な情報並びに該遊技者が会員遊技者か否かを特定可能な情報が入力される情報入力手段と、
該情報入力手段に入力された情報に基づいて、所定範囲に属する全遊技機に占める遊技者が遊技中である遊技機の割合である稼働率を所定の時間帯毎に算出する稼働率算出手段と、
前記情報入力手段に入力された情報に基づいて、前記所定範囲に属する遊技機において遊技中である会員遊技者と非会員遊技者との比率を特定可能な情報を前記所定の時間帯毎に集計および／または算出する会員比率集計・算出手段と、
前記稼働率算出手段にて算出された前記稼働率および会員比率集計・算出手段にて集計および／または算出された前記会員遊技者と非会員遊技者との比率を特定可能な情報に基づいて、前記稼働率の推移状況と、会員遊技者と非会員遊技者との比率を特定可能な情報の推移状況とを併せて出力する出力手段と、
を備えることを特徴とする遊技用管理装置。
【請求項２】
前記情報入力手段に入力される情報には、前記遊技機の機種を特定可能な情報を含み、
前記稼働率算出手段は、所定の機種に属する全遊技機に占める遊技者が遊技中である遊技機の割合である稼働率を算出し、
前記会員比率集計・算出手段は、前記所定の機種に属する遊技機において遊技中である会員遊技者と非会員遊技者との比率を特定可能な情報を集計および／または算出する請求項１に記載の遊技用管理装置。
【請求項３】
前記遊技者が遊技中か否かを特定可能な情報は、遊技機において遊技者が遊技を行っていることを条件として発生する遊技情報と、遊技機の遊技状態を示す遊技状態情報とを含み、前記稼働率算出手段は、前記情報入力手段に前記遊技状態情報が入力されておらず、かつ前記遊技情報が入力されていない期間が所定時間以上であるときに、前記遊技機において遊技者が遊技中でないと認識して前記稼働率を算出する請求項１または２に記載の遊技用管理装置。
【請求項４】
前記遊技者が会員遊技者か否かを特定可能な情報は、会員遊技者を個別に識別可能な会員識別情報とされ、
該会員識別情報に対応付けて、当該会員遊技者の属性情報を記憶する属性情報記憶手段と、
該属性情報記憶手段に記憶された属性情報に基づいて、会員遊技者を複数のグループに分類する分類手段と、
を備え、
前記会員比率集計・算出手段は、前記所定範囲に属する遊技機で遊技中の全会員遊技者に占める、前記分類手段により分類された各グループに属する会員遊技者の比率である属性比率を特定可能な情報を集計および／または算出し、
前記出力手段は、前記属性比率を特定可能な情報の推移状況を併せて出力する請求項１〜３のいずれかに記載の遊技用管理装置。
【請求項５】
前記稼働率算出手段にて算出された前記稼働率に基づいて、前記稼働率の一日の平均値を算出する平均稼働率算出手段を備え、前記出力手段は、前記平均稼働率算出手段にて算出された前記一日の稼働率の平均値を特定可能な情報を併せて出力する請求項１〜４のいずれかに記載の遊技用管理装置。
【請求項６】
前記会員比率集計・算出手段にて集計および／または算出された前記会員遊技者と非会員遊技者との比率を特定可能な情報に基づいて、前記会員遊技者と非会員遊技者との比率を特定可能な情報の一日の平均値を算出する平均比率算出手段を備え、前記出力手段は、前記平均比率算出手段にて算出された前記一日の会員遊技者と非会員遊技者との比率の平均値を特定可能な情報を併せて出力する請求項１〜５のいずれかに記載の遊技用管理装置。
【発明の詳細な説明】
【０００１】
【発明の属する技術の分野】
本発明は、稼働率の推移状況を管理、出力することのできる遊技用管理装置に関する。
【０００２】
【従来の技術】
従来において、稼働率の推移状況を管理、出力することのできる遊技用管理装置としては、各機種毎の稼働率の推移を、同一画面上に表示するものがある。（特許文献１）。
【０００３】
【特許文献１】
特開２００２−２６３３３１号公報
【０００４】
これら前記した特許文献１の遊技場管理装置によれば、遊技場がこれら稼働率の推移を把握することで、例えば稼働率が高い時間帯においてサービスを提供すればより多くの遊技者にサービスを提供でき、逆に稼働率が低い時間帯においてサービスを提供すれば、稼働率の向上に該サービスの提供を資することができることから、これら稼働の良い時間帯や悪い時間帯に基づいて、サービスタイム等のサービスを提供する時間帯をいつにしたら良いか等の検討を行うことができる。
【０００５】
【発明が解決しようとする課題】
しかしながら、前記した特許文献１の遊技場管理装置では、稼働率の推移を把握できるものの、サービスを提供する時間帯において予め会員登録を実施した会員遊技者が多いのか、或いは会員遊技者ではない通常の遊技者であるビジター遊技者が多いのかを把握することができないため、その時間帯にどの遊技者を対象としたサービスを提供すれば良いのかを検討することができないという問題があった。
【０００６】
よって、本発明は上記した問題点に着目してなされたもので、サービス提供に適した時間帯の検討ができるとともに、その時間帯にどの遊技者を対象としたサービスを提供すれば良いのかを検討することのできる遊技用管理装置を提供することを目的としている。
【０００７】
【課題を解決するための手段】
前記した問題を解決するために、本発明の遊技用管理装置は、遊技機において遊技者が遊技中であるか否かを特定可能な情報並びに該遊技者が会員遊技者か否かを特定可能な情報が入力される情報入力手段と、
該情報入力手段に入力された情報に基づいて、所定範囲に属する全遊技機に占める遊技者が遊技中である遊技機の割合である稼働率を所定の時間帯毎に算出する稼働率算出手段と、
前記情報入力手段に入力された情報に基づいて、前記所定範囲に属する遊技機において遊技中である会員遊技者と非会員遊技者との比率を特定可能な情報を前記所定の時間帯毎に集計および／または算出する会員比率集計・算出手段と、
前記稼働率算出手段にて算出された前記稼働率および会員比率集計・算出手段にて集計および／または算出された前記会員遊技者と非会員遊技者との比率を特定可能な情報に基づいて、前記稼働率の推移状況と、会員遊技者と非会員遊技者との比率を特定可能な情報の推移状況とを併せて出力する出力手段と、
を備えることを特徴としている。
この特徴によれば、稼働率の推移状況を特定可能な情報と会員遊技者と非会員遊技者との比率の推移状況を特定可能な情報とが併せて出力されるので、稼働率の推移を把握し、サービスの提供に適した時間帯の検討ができるとともに、その時間帯において会員遊技者が多いのか非会員遊技者が多いのかを把握し、その時間帯にどの遊技者を対象としたサービスを提供すれば良いのかを検討することができる。
【０００８】
本発明の遊技用管理装置は、前記情報入力手段に入力される情報には、前記遊技機の機種を特定可能な情報を含み、
前記稼働率算出手段は、所定の機種に属する全遊技機に占める遊技者が遊技中である遊技機の割合である稼働率を算出し、
前記会員比率集計・算出手段は、前記所定の機種に属する遊技機において遊技中である会員遊技者と非会員遊技者との比率を特定可能な情報を集計および／または算出することが好ましい。
このようにすれば、遊技機の機種の仕様や導入期間などにより、元々機種毎に稼働率や会員遊技者と非会員遊技者との比率に特色があるところ、これら機種毎の特色を考慮した検討が可能となる。
【０００９】
本発明の遊技用管理装置は、前記遊技者が遊技中か否かを特定可能な情報は、遊技機において遊技者が遊技を行っていることを条件として発生する遊技情報と、遊技機の遊技状態を示す遊技状態情報とを含み、前記稼働率算出手段は、前記情報入力手段に前記遊技状態情報が入力されておらず、かつ前記遊技情報が入力されていない期間が所定時間以上であるときに、前記遊技機において遊技者が遊技中でないと認識して前記稼働率を算出することが好ましい。
このようにすれば、情報入力手段に遊技状態情報が入力されておらず、且つ遊技情報が入力されていない期間が所定時間以上であるときに、前記遊技機において遊技者が遊技中でない、つまり非稼働と認識して前記稼働率が算出されるようになるため、例えば確変中に遊技者が離席等した場合においても、離席等を考慮した正確な稼働率を算出できる。
【００１０】
本発明の遊技用管理装置は、前記遊技者が会員遊技者か否かを特定可能な情報は、会員遊技者を個別に識別可能な会員識別情報とされ、
該会員識別情報に対応付けて、当該会員遊技者の属性情報を記憶する属性情報記憶手段と、
該属性情報記憶手段に記憶された属性情報に基づいて、会員遊技者を複数のグループに分類する分類手段と、
を備え、
前記会員比率集計・算出手段は、前記所定範囲に属する遊技機で遊技中の全会員遊技者に占める、前記分類手段により分類された各グループに属する会員遊技者の比率である属性比率を特定可能な情報を集計および／または算出し、
前記出力手段は、前記属性比率を特定可能な情報の推移状況を併せて出力することが好ましい。
このようにすれば、前記属性比率の推移状況も併せて把握できるようになるため、各時間帯においてどの属性の会員遊技者が多いのか或いは少ないのかを把握でき、サービスを提供する時間帯にどの属性の会員遊技者を対象としたサービスを提供すれば良いのかをより詳細に検討することができる。
【００１１】
本発明の遊技用管理装置は、前記稼働率算出手段にて算出された前記稼働率に基づいて、前記稼働率の一日の平均値を算出する平均稼働率算出手段を備え、前記出力手段は、前記平均稼働率算出手段にて算出された前記一日の稼働率の平均値を特定可能な情報を併せて出力することが好ましい。
このようにすれば、平均稼働率算出手段にて算出された一日の稼働率の平均値が稼働率の推移状況とともに出力されることで、推移状況における各稼働率が稼働率の平均値からどの程度離れているかを簡便に把握でき、例えば、これら稼働率の平均値からの離れ度合いに応じたサービスを検討できる。
【００１２】
本発明の遊技用管理装置は、前記会員比率集計・算出手段にて集計および／または算出された前記会員遊技者と非会員遊技者との比率を特定可能な情報に基づいて、前記会員遊技者と非会員遊技者との比率を特定可能な情報の一日の平均値を算出する平均比率算出手段を備え、前記出力手段は、前記平均比率算出手段にて算出された前記一日の会員遊技者と非会員遊技者との比率の平均値を特定可能な情報を併せて出力することが好ましい。
このようにすれば、平均比率算出手段にて算出された会員遊技者と非会員遊技者との比率の一日の平均値を特定可能な情報が、会員遊技者と非会員遊技者との比率を特定可能な情報の推移状況とともに出力されることで、推移状況における会員遊技者と非会員遊技者との各比率が平均値からどの程度離れているかを簡便に把握でき、例えば、平均値からの離れ度合いに応じたサービスを検討できる。
【００１３】
【発明の実施の形態】
（実施例）
図１は本発明が適用された本実施例の遊技用システムの構成を示す図であり、この遊技用システムは、遊技場において複数配置された遊技島に並設される遊技機としてのカードリーダ式パチンコ機（以下パチンコ機）２に対して１対１に設置される遊技用装置としてのカードユニット３と、遊技場の所定箇所に設置され、カードユニット３にて使用される後述の会員カード（記録媒体）並びにビジターカードの管理等を行うシステムコントローラ１００と、会員カードを所持する会員遊技者に関する情報を管理する会員管理コンピュータ１２０と、遊技場内に設置された前記パチンコ機２に関する情報を管理する本発明の遊技用管理装置であるホールコンピュータ１４０と、から主に構成されており、システムコントローラ１００、会員管理コンピュータ１２０、ホールコンピュータ１４０並びにカードユニット３とはハブ（ＨＵＢ）８’（図３参照）並びに通信ケーブル８を介してデータ通信可能に接続されているとともに、システムコントローラ１００は、通信回線網１１を介して図示しないカード管理会社に設置された管理サーバとデータ通信可能に接続されている。
【００１４】
初めに、本実施例にて用いた記録媒体について説明すると、本実施例では予め会員登録をした会員遊技客に対して発行される会員カードと、カードユニット３に装着されているビジターカードと、の２種類のＩＣカードを記録媒体として用いている。
【００１５】
まず、本発明の記録媒体としての会員カードについて説明すると、この会員カードには、カードユニット３内に設けられている後述のカードリーダライタ３２７と非接触にてデータ通信を行うことが可能な非接触式ＩＣカードが適用されており、その内部メモリには、各会員カードを個別に識別可能なカードＩＤや遊技者特定情報としての会員ＩＤ、カードユニット３とシステムコントローラ１００との通信がオフライン状態の場合に使用されるセキュリティー情報等が書き換え不可に記録されているとともに、カードリーダライタ３２７とのデータ通信により、パチンコ玉の貸出に使用される度数等の情報が書き換え可能に記録される。
【００１６】
次いで、ビジターカードについて説明すると、このビジターカードも会員カードと同様に非接触式ＩＣカードが適用されており、その内部メモリには、各ビジターカードを個別に識別可能なカードＩＤ等が書き換え不可に記録されているとともに、前述したカードリーダライタ３２７とのデータ通信により、パチンコ玉の貸出に使用される度数や装着されているカードユニット３の装置ＩＤ等の情報が書き換え可能に記録される。
【００１７】
次いで、本実施例の遊技用装置であるカードユニット３について簡潔に説明すると、このカードユニット３は、前述のように遊技島に並設される遊技機としてのパチンコ機２に１対１に対応して設置されている。
【００１８】
カードユニット３の前面には、図２に示すように、各種表示部や操作ボタン、紙幣挿入口３０２、硬貨投入口３０３、硬貨返却口３１３、会員カード挿入口３１９、ビジターカード装着口３１８が設けられている。
【００１９】
カードユニット３の前面に設けられる表示部のうち、多機能表示部３０１は、内部に設けられた多機能ＬＥＤ３０１ａの発光態様によりカードユニット３の動作状況等が報知される。
【００２０】
また、カードユニット３の前面に設けられた表示部のうち、変更可能表示部３０５は、後述する貸出処理における貸出単位（１回の貸出操作で使用される度数の大きさ）の変更が可能である場合に、その内部に設けられた変更可能ＬＥＤ３０５ａ（図３参照）が点灯する。貸出単位表示部３０７は、前述した貸出単位が内蔵された貸出単位表示器３０７ａ（図３参照）により表示される表示部であり、度数表示部３０９は、会員カードやビジターカードから読み出された度数やエラーコード等が内蔵された度数表示器３０９ａ（図３参照）により表示される表示部である。方向指示表示部３１１は、対応する遊技機の連結方向を示す表示部であり、遊技機と接続されている場合に内部に設けられた方向指示ＬＥＤ３１１ａ（図３参照）が点灯する。挿入中表示部３１２は、会員カードが挿入中である場合に内部に設けられた挿入中ＬＥＤ３１２ａ（図３参照）が点灯する。会員カード用表示部３１４は、受付中の会員カードから特定される貯蓄玉数に基づく再プレイ可能回数等の情報が内蔵された会員カード用表示器３１４ａ（図３参照）により表示される表示部である。
【００２１】
また、カードユニット３の前面に設けられたボタンのうち、硬貨返却ボタン３０４は、硬貨投入口３０３から投入された硬貨が詰まった場合等において、硬貨を返却させる際に押圧するボタンである。貸出単位変更ボタン３０６は、貸出単位を変更する際に押圧するボタンである。端数ボタン３０８は、度数表示部３０９の表示内容を変更表示させる際に押圧するボタンである。テンキー３１５は、暗証番号等の入力を行う際に操作するキーである。プレイ選択ボタン３１６は、度数を用いて遊技を実施するか、若しくは貯蓄玉数を用いて遊技を実施するかを選択する際に押圧するボタンである。エンターボタン３１７は、暗証番号を決定する場合や貯蓄玉数の払戻を実施する際に押圧するボタンである。
【００２２】
また、会員カード挿入口３１９とビジターカード装着口３１８とは、遊技者から見て左右に並設配置されている。会員カード挿入口３１９は、内蔵されるカードリーダライタ３２７（図３参照）の会員カードスロット（図示略）に連設されており、この会員カード挿入口３１９を介して会員カードを会員カードスロットに挿入可能とされている。また、ビジターカード装着口３１８は、カードリーダライタ３２７のビジターカード収容室（図示略）に連設されており、このビジターカード装着口３１８を介してビジターカードをビジターカード収容室に装着可能とされている。
【００２３】
また、ビジターカード収容室にビジターカードが装着された際には、この装着されたビジターカードの先端がビジターカード装着口３１８から突出する態様にて装着されるようになる。また、このビジターカード装着口３１８の前面には、透明カバー部材３１８’が取付けられるようになっており、これによりカードリーダライタ３２７に装着されたビジターカードが、透明カバー部材３１８’を通して視認できるとともに、透明カバー部材３１８’により装着されたビジターカードの抜き取りができない状態とされる。
【００２４】
図３は、カードユニット３の構成を示すブロック図である。カードユニット３は、読み出し手段としてのカードリーダライタ３２７と、制御ユニット３２８と、から主に構成されている。
【００２５】
カードリーダライタ３２７は、前述した会員カードやビジターカードの記録情報の読み出し並びに書き込みを行うとともに、ＨＵＢ８’を介してシステムコントローラ１００とデータ通信可能に接続されており、挿入された会員カードに記録されたカードＩＤや度数の認証等がシステムコントローラ１００との間で行われる。
【００２６】
制御ユニット３２８には、前述した各種ＬＥＤや表示器、スイッチ等の各種電気部品や紙幣識別ユニット３２２、硬貨識別ユニット３２４、が接続されている。
【００２７】
制御ユニット３２８に接続された各種スイッチのうち、貸出単位変更スイッチ３０６ａは、貸出単位変更ボタン３０６の操作を検知するスイッチであり、端数スイッチ３０８ａは、端数ボタン３０８の操作を検知するスイッチであり、テンキースイッチ３１５ａは、テンキーの操作を検知するスイッチであり、プレイ選択スイッチ３１６ａは、プレイ選択ボタン３１６の操作を検知するスイッチであり、エンタースイッチ３１７ａは、エンターボタン３１７の操作を検知するスイッチである。
【００２８】
また、制御ユニット３２８には、特に図示しないが、接続されたパチンコ機２に設けられる貸出ボタン（パチンコ玉の貸出を行う際に操作されるボタン）や返却ボタン（受付け中の会員カードを返却させる際に操作されるボタン）の操作を検知する貸出スイッチや返却スイッチが接続されている。
【００２９】
制御ユニット３２８に接続された紙幣識別ユニット３２２は、紙幣挿入口３０２に投入された紙幣を取り込んでその真贋や紙幣種別の識別を行う。また、硬貨識別ユニット３２４は、硬貨投入口３０３より投入された硬貨の真贋並びに硬貨種別の識別を行う。
【００３０】
制御ユニット３２８に接続された各種ＬＥＤや表示器は、制御ユニット３２８により制御される。また、制御ユニット３２８は、各種スイッチの検出信号や、紙幣識別ユニット３２２や硬貨識別ユニット３２４による識別信号を受けて各種の制御を行う。
【００３１】
また、制御ユニット３２８は、対応するパチンコ機２と接続されており、貸出処理に伴う各種の信号の授受が可能とされているとともに、制御ユニット３２８には、対応するパチンコ機２からの外部出力信号線が接続可能な信号入力部３３２が接続されており、この信号入力部３３２を介してパチンコ機２から出力される遊技情報である始動信号や、大当り中に継続的に出力される遊技状態情報である大当り信号１、大当り中および次回の大当りまでの間大当り確率が向上する遊技状態である確率変動状態中に継続的に出力される遊技状態情報である大当り信号２や、遊技島内部のパチンコ機２の上方位置に設けられた補給球計数器２４（図２参照）から、パチンコ機２に所定数のパチンコ球が補給される毎に出力される遊技情報である補給信号や、遊技島内部のパチンコ機２の下方位置に設けられたアウト球計数器２６（図２参照）から、パチンコ機２にて遊技に使用されてて該パチンコ機２から排出されたパチンコ球が所定数となった都度毎に出力される遊技情報である打込信号が制御ユニット３２８に入力されるようになっており、制御ユニット３２８は、起動時から前記始動信号の入力に基づく始動回数と、補給信号の入力に基づく補給玉数と、打込信号の入力に基づく打込玉数の各データを累積加算して記憶している。
【００３２】
また、制御ユニット３２８は、前述したカードリーダライタ３２７とデータ通信可能に接続されており、各種コマンドの送受が実施可能とされているとともに、通信部３３４並びにＨＵＢ８’を介して会員管理コンピュータ１２０並びにホールコンピュータ１４０とデータ通信可能に接続されており、前記会員カード挿入口３１９に会員カードが挿入された場合に、カードリーダライタ３２７から出力される会員カードから読み出された会員ＩＤや会員カードＩＤの情報や、当該カードユニット３を個々に識別可能に付与された装置ＩＤや対応するパチンコ機２の台番号の情報とを含む会員カード受付け通知を会員管理コンピュータ１２０並びにホールコンピュータ１４０に対して送信する。
【００３３】
また、制御ユニット３２８は、前記信号入力部３３２を介して入力されてきた信号の有無に基づき累積加算して記憶されている始動回数や、補給玉数や、打込玉数のデータと、前記大当り信号１や大当り信号２の入力の有無を示すデータと、対応するパチンコ機２の台番号とを含む所定長の遊技情報データが所定時間間隔（本実施例では約３０秒）毎に前記ホールコンピュータ１４０に対し、該制御ユニット３２８に設けられた通信部３３４より送信される。尚、遊技状態信号である大当り信号１や大当り信号２の信号出力状態に変化があった場合には、変化のあった大当り信号１や大当り信号２の有無の内容を反映した新たな遊技情報データが、所定時間間隔以外の、該信号出力状態に変化があった時点にて迅速にホールコンピュータ１４０に送信される。ここで、後述するホールコンピュータ１４０の遊技情報テーブルに、台番号に対応付けて当該台番号のパチンコ機の機種が登録されていることから、このカードユニット３からホールコンピュータ１４０に送信される台番号によりパチンコ機の機種を特定することができる。
【００３４】
本実施例のカードユニット３は、会員カード挿入口３１９に挿入された会員カードの使用の可／不可を判別する受付処理と、この受付処理において受付けられた会員カードより読み出された度数を使用して、対応するパチンコ機２に対してパチンコ玉の貸出を実施させる貸出処理と、会員カードが受付中でかつ残存する度数が０度の場合であって、紙幣（１０００円紙幣、２０００円紙幣、５０００円紙幣、１００００円紙幣）または硬貨（１００円硬貨、５００円硬貨）が挿入または投入されて識別された場合に、この識別された金額に相当する度数を、受付けられている会員カードより読み出された度数に加算する追加入金処理と、会員カードが受付けられていない場合に低額紙幣（１０００円紙幣）または硬貨（１００円硬貨、５００円硬貨）が挿入または投入されて識別された場合に、この識別された金額に相当する度数をビジターカード装着口３１８に装着されているビジターカードに記録した後、この記録した度数の全てを使用して対応するパチンコ機２に対してパチンコ玉の貸出を実施させる発行貸出処理、対応するパチンコ機２に対して以前の遊技にて貯蓄した貯蓄玉数のうちの所定数のパチンコ玉の払い戻しを実施させる払戻処理と、を行うようになっている。
【００３５】
ここで、本実施例に用いたホールコンピュータ１４０の構成について図４に基づいて説明すると、該ホールコンピュータ１４０の内部にてデータの送受を行うデータバス１４１に、各パチンコ機２から出力され、前記カードユニット３を介して送信された前記遊技情報データに基づいて、各パチンコ機２における稼働状態の判定処理や、後述する会員属性情報テーブルや遊技情報テーブルの内容の更新処理や、各機種毎に各機種に属する全パチンコ機２の台数に占める遊技者が遊技中であって稼働中と判定されたパチンコ機２の台数の割合である稼働率や、全機種の台数に占める遊技者が遊技中であって稼働中と判定されたパチンコ機２の台数の割合である稼働率の算出処理や、図９や図１０に示される稼働率・会員比率推移状況画面を表示するための機種別稼働率テーブル（図６参照）や会員比率・属性比率テーブル（図７参照）の内容を更新、集計する更新集計処理や、前記会員比率・属性比率テーブル（図７参照）に集計された遊技者数や会員数並びに女性会員数等に基づいて、各機種毎に各機種に属する全パチンコ機２において遊技中である遊技者に占める会員遊技者の割合である会員比率や、各機種毎に各機種に属する全パチンコ機２において遊技中である会員遊技者に占める所定の属性である性別に基づいて分類された女性会員遊技者の割合である女性会員比率の算出処理や、全遊技中の遊技者に占める会員遊技者の割合である会員比率や、遊技中である全会員遊技者に占める女性会員遊技者の割合である女性会員比率の算出処理や、前記図９や図１０に示される稼働率・会員比率推移状況画面を生成する画面生成処理等を実施するＣＰＵ１４２、ワークメモリ等として使用されるＲＡＭ１４３、時刻情報やカレンダ情報を出力するＲＴＣ１４４、磁気ディスクや光磁気ディスクから成る記憶装置１４５、稼働率識別表示設定画面や出力データ指定画面の設定内容の入力並びに選択入力を行うためのキーボードやマウス等の入力装置１４６、前記図９や図１０に示される稼働率・会員比率推移状況画面等の各種画面を表示出力するための表示装置１４７や、前記表示装置１４７に表示出力された表示データを印刷出力するためのプリンタ１４８、前記ハブ８’を介してカードユニット３の制御ユニット３２８から送信される前記遊技情報データの受信等、該制御ユニット３２８との間において各種データ通信
を行うための通信部１４９、が接続された通常のコンピュータである。
【００３６】
また、前記記憶装置１４５には、該ホールコンピュータ１４０が実施する各パチンコ機２における稼働状態の判定処理や、会員属性情報テーブル、遊技情報テーブル、機種別稼働率テーブル、並びに会員比率・属性比率テーブルの内容を更新、集計する更新集計処理や、各機種毎の前記稼働率を算出する稼働率算出処理や、前記会員比率や女性会員比率を算出する比率算出処理や、前記図９や図１０に示される稼働率・会員比率推移状況画面を生成する画面生成処理等を実施するための処理プログラムに加えて、図５（ａ）に示すように、前記会員管理コンピュータ１２０に登録されている会員遊技者の属性情報を含む会員遊技者に関する情報と同様の情報が記憶、管理される会員属性情報テーブルや、図５（ｂ）に示すように、各パチンコ機２に関する情報が登録、管理される遊技情報テーブルと、全機種の台数に占める稼働中と判定されたパチンコ機２の台数の割合である稼働率や、各機種毎における各機種に属する全パチンコ機２の台数に占める稼働中と判定されたパチンコ機２の台数の割合である稼働率が、各時間帯毎に算出されて記憶、管理される機種別稼働率テーブルと、各時間帯毎の各時間帯毎の遊技中の遊技者数や会員遊技者数、女性会員遊技者数の集計数が記憶、管理されるとともに、会員比率や女性会員比率等が算出されて記憶、管理される会員比率・属性比率テーブルが記憶されている。つまり、本実施例においては、属性情報の一つである性別に基づいて、会員遊技者が２つのグループ（男性グループ、女性グループ）に分類され、その分類された性別分類が登録されるようになっている。
【００３７】
本実施例に用いた図５（ａ）の会員属性情報テーブル（会員データベース）は、会員カードの会員ＩＤ並びに会員カードＩＤ毎に、当該会員カードを所持する会員遊技者の氏名（名字並びに名前）、性別、年齢、誕生日、職業、住所からなる会員遊技者の属性情報を含む個人情報と、後述する属性比率の算出処理において使用される性別分類（本実施例では会員遊技者が女性であれば「１」男性であれば「０」として分類される）と、が対応付けて登録されており、これら会員属性情報テーブル（会員データベース）の登録情報は会員管理コンピュータ１２０に登録されている会員情報テーブルの登録内容と同一となるように起動時や変更発生時において逐次更新される。
【００３８】
また、本実施例に用いた遊技情報テーブルは、図５（ｂ）に示すように、遊技機であるパチンコ機２に固有に付与された台番号に対応付けて、該パチンコ機２の機種と、各パチンコ機２に対応して設けられているカードユニット３に受付け中の会員カードの会員カードＩＤが記憶できるようになっていて、カードユニット３に会員カードＩＤが挿入された際に、会員管理コンピュータ１２０とともに該ホールコンピュータ１４０に、遊技者が会員遊技者か否かを特定可能な情報である挿入された会員カードのカードＩＤと会員カードＩＤとともに、各カードユニット３に個別に付与された装置ＩＤ並び当該カードユニット３が対応するパチンコ機２の台番号とを含む会員カード受付け通知がカードユニット３の制御ユニット３２８に設けられている通信部３３４より送信されることで、該会員カード受付け通知の受信に基づいて、該会員カード受付け通知に含まれる台番号に対応する会員カードＩＤ欄に該会員カード受付け通知に含まれる会員カードＩＤが記憶されるようになっているとともに、会員カードの返却に基づいてカードユニット３の制御ユニット３２８から送信される会員カード返却通知に基づいて、該当する会員カードＩＤの登録が削除されるようになっている。
【００３９】
この本実施例に用いた遊技情報テーブルにおいては、更に、前記台番号に対応付けて、前記カードユニット３の制御ユニット３２８から送信されてくる遊技情報データ列中に含まれる補給玉数データに基づく補給玉数、前記遊技情報データ列中の打込玉数データに基づく打込玉数、これら補給玉数と打込玉数の差に基づく遊技場側の差玉数、前記遊技情報データ列中の始動回数に基づく総スタート回数、大当り信号１並びに大当り信号２の有無を示すデータに基づいて大当りと判定された回数である大当り回数、大当り信号２の有無を示すデータに基づいて確率変動状態と判定された回数である確変回数、前記総スタート回数と大当り回数との比である大当り確率、並びに各大当り間のスタート回数１，２・・・とが、記録されるようになっているとともに、前記遊技情報データ列中に含まれる遊技情報である始動回数や補給玉数や打込玉数の所定時間内の変化の有無、並びに遊技状態情報である大当り信号１や大当り信号２の入力の有無を示すデータに基づき判定される稼働状況と、大当り信号１や大当り信号２の入力の有無を示すデータに基づき判定される遊技状態とが記憶されるようになっている。
【００４０】
これら遊技情報テーブルの更新に伴なう稼働状態の判定処理について図１１に示すフロー図に基づいて説明すると、前記ＣＰＵ１４２は、前記カードユニット３を介して送信された前記遊技情報データに含まれる大当り信号１や大当り信号２の入力の有無を示すデータにより、遊技状態情報である大当り信号１或いは大当り信号２の入力が有る状態、つまり大当り中か或いは確率変動状態中のいずれかの状態であるかを判定し（Ｓ１）、具体的には大当り１と大当り２の双方の信号の入力が有る場合には大当り中、大当り２のみの信号の入力が有る場合には確率変動状態中と判定し、大当り中か或いは確率変動状態中のいずれかの状態である場合にはＳ３へ進んで稼働中と判定した後、遊技情報テーブルの稼働状況を「稼働中」とするとともに、遊技状態を「大当中」か或いは「確変中」として遊技情報テーブルを更新する。
【００４１】
また、Ｓ１において遊技状態情報である大当り信号１或いは大当り信号２の入力が無い状態であると判定された場合には、Ｓ２へ進んで前記遊技情報データに含まれる遊技情報である始動回数、補給玉数、並びに打込玉数と、遊技情報テーブルにおいて前記遊技情報データに含まれる台番号に対応して記憶されている始動回数、補給玉数、並びに打込玉数の数値とを比較し、これら数値に変化があるか否かを判定し、いずれかの数値に変化が有る場合、つまりは数値が増加している場合には、Ｓ３へ進んで稼働中と判定した後、遊技情報テーブルの稼働状況を「稼働中」とするとともに、該遊技情報テーブルの始動回数、補給玉数、並びに打込玉数の数値を前記遊技情報データに含まれる始動回数、補給玉数、並びに打込玉数の数値に更新し、Ｓ２において始動回数、補給玉数および打込玉数のいずれの数値にも変化が無い場合、つまりは数値が増加していない場合には、Ｓ５に進んで非稼働中と判定した後、遊技情報テーブルの稼働状況を「非稼働」に更新する。
【００４２】
このように本実施例においては、前記遊技情報である始動信号、補給信号、打込信号の入力に伴う始動回数、補給玉数、打込玉数のいずれかの数値に変化がある場合、或いは前記遊技状態情報である大当り信号１或いは大当り信号２の入力が有る場合において、前記遊技情報テーブルの稼働状況に「稼働中」が登録されることで、該稼働状況に「稼働中」が登録されている期間が稼働期間として前記稼働率が算出されるようになるため、例えば確率変動状態中に遊技者が離席等した場合においても、離席等を考慮した正確な稼働率を算出できることから好ましいが、本発明はこれに限定されるものではなく、例えば、パチンコ機２から稼働中を示す稼働信号が出力される場合等においては、該稼働信号の入力に基づいて遊技者が遊技中か否かである稼働判定を実施するようにしても良い。
【００４３】
また、本実施例では、制御ユニット３２８に設けられた通信部３３４より送信される遊技情報データの送信間隔が３０秒であるため、３０秒の間、始動回数、補給玉数、並びに打込玉数の数値がいずれも変化しなければ、つまり３０秒の間、始動信号、補給信号および打込信号のいずれの信号も入力されなければ非稼働と判定されるが、これら数値に変化があるか否かの判定対象とする期間は、例えば、１０秒、１分、３分等、適宜設定すれば良い。
【００４４】
また、本実施例に用いた機種別稼働率テーブルは、図６に示すように、所定時間間隔である１０分間隔毎の稼働率が、全機種並びに各機種毎に算出されて記憶されるとともに、１時間を１つの時間帯として、各時間帯に属する１０分間隔毎の稼働率の平均が算出されて、時間帯平均として記憶されるようになっており、図６には本日分が示されているが、本日以前の所定期間におけるデータが機種別稼働率テーブルには登録されている。
【００４５】
この機種別稼働率テーブルの更新状況を具体的に説明すると、本実施例では図６に示すように、所定時間間隔である１０分間隔毎に、図５（ｂ）に示す前記遊技情報テーブルの「稼働状況」に「○（稼働）」が登録されている全登録数を集計し、該集計した登録数を当該遊技場に設置されている全遊技台数にて除することで全体（全機種）の稼働率が算出されて記憶される。
【００４６】
更に、図５（ｂ）に示す前記遊技情報テーブルの「稼働状況」に「○（稼働）」が登録されている登録数を、各機種毎に集計し、該集計した登録数を各機種に属する遊技機の台数にてそれぞれ除することで各機種毎の稼働率が算出されて記憶される。
【００４７】
尚、本実施例では、前記機種別稼働率テーブルに登録される所定時間間隔を１０分としているが、本発明はこれに限定されるものではなく、これらの所定時間間隔は適宜に選択すれば良いとともに、状況に応じて変更可能に設定できるようにしても良い。
【００４８】
また、本実施例に用いた会員比率・属性比率テーブルは、図７に示すように、各時間帯毎に、遊技中の遊技者数と、遊技中の会員遊技者数と、遊技中の遊技者に占める遊技中の会員遊技者の割合である会員比率、該会員比率の時間帯平均と、遊技中の女性会員遊技者の数と、遊技中の会員遊技者に占める遊技中の女性会員遊技者の割合である女性会員比率と、該女性会員比率の時間帯平均とが全体（全機種）並びに各機種毎に集計、算出されて記憶されている。
【００４９】
この会員比率・属性比率テーブルの更新状況を具体的に説明すると、本実施例では図７に示すように、所定時間間隔である１０分間隔毎に、図５（ｂ）に示す前記遊技情報テーブルの「稼働状況」に「○（稼働）」が登録されているパチンコ機、つまりその時点で遊技者が遊技中のパチンコ機２を全て抽出するとともに、該「○（稼働）」が登録されている登録数を集計し、該集計した登録数を遊技中の遊技者数を示す「遊技者数」の数値として記憶するとともに、該抽出した稼働中の遊技機に対応する「受付けカードＩＤ」に、会員カードに対応する「ＫＣ…」のカードＩＤが登録されている登録数を集計し、該集計した登録数を遊技中の会員遊技者数を示す「会員数」の数値として記憶し、「ＫＣ…」のカードＩＤの会員遊技者が女性に分類されているか否かを、当該カードＩＤに対応して女性を示す女性フラグが登録されているかを前記会員属性情報テーブル（図５（ａ））から全て特定し、女性である会員の数を該女性フラグが登録されている数を集計することで特定し、該集計した女性フラグが登録されている集計値を、その時点において遊技中の女性会員遊技者を示す「女性会員数」に記憶する。
【００５０】
そして、このようにして「遊技者数」、「会員数」、「女性会員数」の集計を、前記遊技情報テーブル並びに会員情報テーブルの記憶情報に基づいて集計し、記憶した後に、該集計した「遊技者数」、「会員数」、「女性会員数」に基づいて、その時刻における会員比率を、「会員数」の数値を「遊技者数」の数値にて除することで算出して「会員比率」に登録するとともに、女性会員比率を、「女性会員数」の数値を「会員数」の数値にて除することで算出して「女性会員比率」に登録する。
【００５１】
更に、図５（ｂ）に示す前記遊技情報テーブルの「稼働状況」に「○（稼働）」が登録されているパチンコ機、つまりその時点で遊技者が遊技中のパチンコ機２を各機種毎に抽出するとともに、該「○（稼働）」が登録されている登録数を各機種毎に集計し、該集計した各機種毎の登録数を遊技中の遊技者数を示す「遊技者数」の数値として各機種毎に記憶し、該抽出した稼働中の遊技機に対応する「受付けカードＩＤ」に、会員カードに対応する「ＫＣ…」のカードＩＤが登録されている登録数を各機種毎に集計し、該集計した登録数を各機種毎の遊技中の会員遊技者数を示す「会員数」の数値として記憶し、「ＫＣ…」のカードＩＤの会員遊技者が女性に分類されているか否かを、当該カードＩＤに対応して女性を示す女性フラグが登録されているかを前記会員属性情報テーブル（図５（ａ））から全て特定し、女性である会員の数を該女性フラグが登録されている数を集計することで特定し、該集計した女性フラグが登録されている集計値を、各機種毎のその時点において遊技中の女性会員遊技者を示す「女性会員数」に記憶する。
【００５２】
そして、このようにして「遊技者数」、「会員数」、「女性会員数」の集計を、前記遊技情報テーブル並びに会員情報テーブルの記憶情報に基づいて各機種毎に集計し、記憶した後に、該集計した「遊技者数」、「会員数」、「女性会員数」に基づいて、その時刻における会員比率を、「会員数」の数値を「遊技者数」の数値にて除することで算出して各機種毎の「会員比率」に記憶するとともに、女性会員比率を、「女性会員数」の数値を「会員数」の数値にて除することで算出して各機種毎の「女性会員比率」に記憶する。
【００５３】
尚、各時間帯の平均は、１時間の時間帯が経過した後の新たな時刻における更新時において、１時間の時間帯の平均値が、会員比率と女性会員比率の双方において算出されて「時間帯平均」にそれぞれが登録される。
【００５４】
尚、本実施例では、前記会員比率・属性比率テーブルに登録される所定時間間隔を１０分としているが、本発明はこれに限定されるものではなく、これらの所定時間間隔は適宜に選択すれば良いとともに、状況に応じて変更可能に設定できるようにしても良い。
【００５５】
本実施例のホールコンピュータ１４０の表示装置１４７には、図示しない設定メニューから「稼働率識別表示設定」を選択することで、図８に示す稼働率識別表示設定画面が表示されるようになっており、該稼働率識別表示設定画面において、図９や図１０に示す稼働率・会員比率推移状況表示画面にて数値表示される稼働率の表示態様を、その他の稼働率の表示態様と異なる表示態様にて表示させるための設定を行うことができるようになっている。
【００５６】
本実施例の稼働率識別表示設定画面には、図８に示すように、識別表示の対象とする良い方の稼働率の所定値（例えば６０％、７０％、８０％等）と、悪い方の稼働率の所定値（例えば３０％、２０％、１０％等）とを設定できるとともに、該設定した所定値を適用する対象機種（全機種を含む）並びに対象曜日（イベント実施日や全曜日を含む）を設定できるようになっており、これら対象機種と対象曜日とを組み合わせることで、各機種毎で曜日別に前記稼働率を識別表示させるための所定値を設定変更できるようになっている。
【００５７】
尚、本実施例においては、前記対象機種のポップアップメニュー内には「全機種」の項目が設けられており、該「全機種」の項目を選択するとともに、対象曜日の項目を適宜に選択することで、全ての機種に共通として曜日別に個別の稼働率の所定値を設定できるようになっているとともに、前記対象曜日のポップアップメニュー内には「全曜日」の項目が設けられており、該「全曜日」の項目を選択するとともに、対象機種の項目を適宜に選択することで、全ての曜日に共通として機種別に個別の稼働率の所定値を設定できるようになっている。
【００５８】
このように本実施例では、稼働率を異なる表示態様にて表示させるための稼働率の所定値設定を機種毎に設定変更できるようになっており、このようにすることは、遊技機の機種の仕様や導入期間などにより、元々機種毎に稼働率の善し悪しが存在することから、これら機種による稼働率の善し悪しに対応した所定稼働率を設定変更することができることから好ましいが、本発明はこれに限定されるものではなく、これら機種毎の所定稼働率の設定変更を不可としても良い。
【００５９】
また、本実施例では、稼働率を異なる表示態様にて表示させるための稼働率の所定値設定を曜日別に設定変更できるようになっており、このようにすることは、通常において稼働率は曜日によって変化するので、これら曜日による稼働率の変化に対応した所定稼働率の設定変更することができることから好ましいが、本発明はこれに限定されるものではなく、これら曜日別の所定稼働率の設定変更を不可としても良い。
【００６０】
尚、本実施例の対象曜日には各曜日と全曜日に加えてイベント日を設定できるようにしており、このようにすることはイベント日等においては稼働率が通常の日よりも高くなることから、これら稼働率の変動に対応できるようになることから好ましいが、本発明はこれに限定されるものではなく、これらイベント日を選択内容に設けない構成としても良い。
【００６１】
また、本実施例では、稼働率を異なる表示態様にて表示させるための稼働率の所定値設定を所定値以上とする良い方の稼働率と、所定値以下とする悪い方の稼働率の双方を設定できるようにしているが、本発明はこれに限定されるものではなく、これらのいずれか一方のみの稼働率の所定値を設定できるようにしても良い。
【００６２】
本実施例のホールコンピュータ１４０の表示装置１４７には、図示しない出力メニューから「出力データ指定」を選択することで、前記機種別稼働率テーブル並びに会員比率・属性比率テーブルに登録されている情報に基づく出力データを指定するための出力データ指定画面（図示略）が表示されるようになっている。
【００６３】
この本実施例の出力データ指定画面（図示略）には、図９に示す稼働率・会員比率推移状況画面に表示させる対象日の項目が設けられており、これら稼働率・会員比率推移状況の表示対象日を選択入力した後、該出力データ指定画面（図示略）に表示されている「表示」の選択入力部を選択入力することで、該指定された表示対象日の機種別稼働率テーブル並びに会員比率・属性比率テーブルに登録されている全体（全機種）の各時間帯の稼働率と、会員比率、女性会員比率が抽出されて、稼働率・会員比率推移状況画面の下方位置に、稼働率は「稼働率％」に、会員比率は「会員比率％」に、女性会員比率は「女性会員％」に、時系列的に表示されるとともに、該時系列的に表示された各時間帯に対応するように、当該時間帯の稼働率並びに会員比率に基づく推移グラフが生成されて併せて表示されるようになっている。
【００６４】
更に、前記にて抽出した各時間帯の女性会員比率の値（％）を１００％から減じた値が各時間帯毎に算出され、該算出された値（％）が、男性会員の比率として「男性会員％」に表示される。
【００６５】
そして、図８に示す稼働率識別表示設定画面にて設定された設定内容を、前記表示対象日の曜日と表示機種から特定する。具体的には、表示対象日として１月３１日が指定された場合には、該１月３１日が日曜日であることを前記ＲＴＣ１４４から出力されるカレンダ情報から特定し、表示対象機種として選択されている機種が全体（全機種）であれば、例えば、良い方の稼働率の所定値が６０％で悪い方の稼働率の所定値が２０％であると特定する。
【００６６】
これら特定した機種（全体（全機種））の識別表示設定の設定内容に基づいて、稼働率推移状況画面の下方位置に時系列的に表示される稼働率の数値表示の中から、該識別表示設定の設定内容に該当する稼働率の数値表示を特定し、悪い方の稼働率に該当する稼働率の表示領域を悪い稼働率に対応する表示態様である赤色（図９においてはクロスハッチにて示すが）にて表示し、良い方の稼働率に該当する稼働率の表示領域を良い稼働率に対応する表示態様である青色（図９においてはストレートハッチにて示す）にて表示する。
【００６７】
このように本実施例では、稼働率の推移を特定可能な情報として、推移グラフと時系列的数値の双方を表示するようにしており、このようにすることは、推移グラフを表示することで稼働率推移の状況を視覚的に把握できるとともに、正確な稼働率の値は数値表示にて簡便に把握できるようになることから好ましいが、本発明はこれに限定されるものではなく、これらグラフ態様の表示出力或いは時系列的数値態様の表示出力のいずれか一方のみを表示出力して、該いずれか一方の表示出力にて、前記稼働率の推移を特定可能な情報としても良いし、更には、これら稼働率の表示出力形態を、グラフ態様の表示出力或いは時系列的数値態様以外の表示出力、例えば棒グラフ等によって表示するようにしても良く、これら表示出力の形態としては、稼働率の推移状況を特定可能なものであれば好適に使用することができる。
【００６８】
また、本実施例では、前記識別表示設定の設定内容に該当する稼働率の数値表示を異なる表示態様にて表示するようにしており、このようにすることは、稼働率識別表示設定画面に稼働率の良い稼働率の範囲と悪い稼働率の範囲とを予め設定しておくことにより、稼働の良い時間帯や稼働の悪い時間帯の把握を簡便に実施できるようになることから好ましいが、本発明はこれに限定されるものではなく、これらの識別表示を実施しない構成としても良い。
【００６９】
また、本実施例では、悪い稼働率に対応する表示態様を赤色とし、良い稼働率に対応する表示態様を青色として、その他の稼働率表示と異なる表示態様として表示色としているが、本発明はこれに限定されるものではなく、これら表示態様としては、表示文字のフォントや文字の大きさ等をその他の稼働率表示の表示文字のフォントや文字の大きさと異なるようにしても良く、これら表示出力の態様は適宜に選択すれば良い。
【００７０】
また、本実施例では、悪い稼働率に対応する表示態様と良い稼働率に対応する表示態様とを個別の表示態様としており、このようにすることは、良い稼働率と悪い稼働率を容易に判別できることから好ましいが、本発明はこれに限定されるものではなく、これらの良い稼働率と悪い稼働率の表示態様を同一のものとしても良い。
【００７１】
更に本実施例では、前記識別表示設定の設定内容に該当する時間帯の異なる表示態様を、時系列的数値態様の表示出力にて実施しているが、本発明はこれに限定されるものではなく、これら異なる表示態様を、例えば前記識別表示設定の設定内容に該当する時間帯のグラフ上の領域を、他の領域と異なる表示態様とする等により実施するようにしても良い。
【００７２】
この本実施例の稼働率・会員比率推移状況画面においては図９に示すように、前記稼働率の時系列数値表示の終端位置には、各時間帯の稼働率に基づいて、１日の稼働率の平均が算出されて表示されるとともに、該平均が推移グラフ上に表示されるようになっており、このようにすることは、これら表示対象日における稼働率の一日の平均値や該平均値を特定可能な表示が稼働率の推移状況や時系列的な数値表示とともに表示出力されることで、推移状況における各時間帯の稼働率が平均値からどの程度離れているかを簡便に把握でき、例えば、平均値からの離れ度合いに応じたサービスを検討できる（例えば、稼働率が平均よりかなり低い時間帯に、特典の大きいサービスを実施する等）ことから好ましいが、本発明はこれに限定されるものではなく、これら平均値の算出、並びに表示を実施しない構成としても良い。
【００７３】
また、本実施例の稼働率・会員比率推移状況画面においては図９に示すように、前記会員比率％、男性比率％、女性比率％の時系列数値表示の終端位置に、各時間帯の会員比率％、男性比率％、女性比率％に基づいて、会員比率、男性比率、女性比率の１日の平均がそれぞれ算出されて表示されるようになっており、このようにすることは、会員比率％の数値並びに推移グラフ表示や、男性比率％、女性比率％の時系列的な数値表示とともに表示出力されることで、会員比率％、男性比率％、女性比率％の推移状況における各時間帯の値が、これら平均値からどの程度離れているかを簡便に把握でき、例えば、これら平均値からの離れ度合いに応じたサービスを検討できる（例えば、会員比率が平均よりかなり低い時間帯に、会員対象の特典の大きいサービスを実施したり、女性会員の比率が平均よりかなり低い時間帯に、女性会員対象の特典の大きいサービスを実施する等）ことから好ましいが、本発明はこれに限定されるものではなく、これら平均値の算出、並びに表示を実施しない構成としても良い。
【００７４】
また、本実施例では、会員比率％と、前記属性比率である男性比率％、女性比率％の双方の平均を算出するようにしているが、本発明はこれに限定されるものではなく、これら会員比率％と、前記属性比率である男性比率％、女性比率％のいずれか一方のみの平均を算出、表示出力するようにしても良い。
【００７５】
また、本実施例では、属性比率の推移状況を特定可能な情報として、前記男性比率％、女性比率％の時系列数値表示を実施しているが、本発明はこれに限定されるものではなく、これら男性比率％、女性比率％は、いずれか一方のみが判れば、他方の値を容易に算出できることから、例えば男性比率％または女性比率％のいずれか一方のみを表示出力するようにしても良い。
【００７６】
また、本実施例の稼働率・会員比率推移状況画面の下方には、図９に示すように、機種を指定するための「機種指定」の項目が設けられており、図９に示す全体（全機種）を対象とした稼働率・会員比率推移状況に代えて、各機種毎の働率・会員比率推移状況を表示させたい場合には、該「機種指定」のポップアップメニュー内から、表示を希望する機種、例えば「機種ａ」を選択した後、「表示」の選択入力部を選択入力することで、図１０に示すように、選択した機種ａにおける稼働率・会員比率推移状況画面が表示される。
【００７７】
この表示対象機種である機種ａの稼働率・会員比率推移状況画面の構成は、前記全体（全機種）の稼働率・会員比率推移状況画面とほぼ同様の構成とされており、前記にて指定された表示対象日である１月３１日の機種別稼働率テーブル並びに会員比率・属性比率テーブルに登録されている機種ａの各時間帯の稼働率と、会員比率、女性会員比率が抽出されて、稼働率・会員比率推移状況画面の下方位置に、稼働率は「稼働率％」に、会員比率は「会員比率％」に、女性会員比率は「女性会員％」に、時系列的に表示されるとともに、該時系列的に表示された各時間帯に対応するように、当該時間帯の稼働率並びに会員比率に基づく推移グラフが生成されて併せて表示されるようになっている。
【００７８】
更に、前記にて抽出した各時間帯の女性会員比率の値（％）を１００％から除した値が各時間帯毎に算出され、該算出された値（％）が、男性会員の比率として「男性会員％」に表示される。
【００７９】
そして、図８に示す稼働率識別表示設定画面にて設定された設定内容を、前記表示対象日の曜日と表示機種である機種ａとから特定する。具体的には、表示対象日として１月３１日が指定された場合には、該１月３１日が日曜日であることを前記ＲＴＣ１４４から出力されるカレンダ情報から特定し、表示対象機種として選択されている機種が機種ａであれば、図８に示す設定例のように、良い方の稼働率の所定値が６０％で悪い方の稼働率の所定値が３０％であると特定する。
【００８０】
これら特定した機種ａの識別表示設定の設定内容に基づいて、稼働率推移状況画面の下方位置に時系列的に表示される稼働率の数値表示の中から、該識別表示設定の設定内容に該当する６０％以上或いは３０％以下の稼働率の数値表示を特定し、悪い方の稼働率３０％以下に該当する稼働率の表示領域を悪い稼働率に対応する表示態様である赤色（図１０においてはクロスハッチにて示すが）にて表示し、良い方の稼働率に該当する稼働率６０％以上の表示領域を良い稼働率に対応する表示態様である青色（図１０においてはストレートハッチにて示す）にて表示する。
【００８１】
更に本実施例の各機種毎の稼働率・会員比率推移状況画面においては図１０に示すように、前記稼働率の時系列数値表示の終端位置に、各時間帯の稼働率に基づく平均が算出されて表示されるとともに、該平均が推移グラフ上に表示されるようになっており、このようにすることは、これら表示対象日における稼働率の一日の平均値や該平均値を特定可能な表示が稼働率の推移状況や時系列的な数値表示とともに表示出力されることで、推移状況における各時間帯の稼働率や会員比率がこれら平均値からどの程度離れているかを簡便に把握でき、例えば、これら平均値からの離れ度合いに応じたサービスを検討できることから好ましいが、本発明はこれに限定されるものではなく、これら平均値の算出、並びに表示を実施しない構成としても良い。
【００８２】
また、本実施例の各機種毎の稼働率・会員比率推移状況画面においては図１０に示すように、前記会員比率％、男性比率％、女性比率％の時系列数値表示の終端位置に、各時間帯の会員比率％、男性比率％、女性比率％に基づく平均がそれぞれ算出されて表示されるようになっており、このようにすることは、会員比率％の数値並びに推移グラフ表示や、男性比率％、女性比率％の時系列的な数値表示とともに表示出力されることで、会員比率％、男性比率％、女性比率％の推移状況における各時間帯の値が、これら平均値からどの程度離れているかを簡便に把握でき、例えば、これら平均値からの離れ度合いに応じたサービスを検討できることから好ましいが、本発明はこれに限定されるものではなく、これら平均値の算出、並びに表示を実施しない構成としても良い。
【００８３】
また、本実施例の各機種毎の稼働率・会員比率推移状況画面においては図１０に示すように、前記稼働率％や、会員比率％、男性比率％、女性比率％の平均値の表示の右側側部位置に、図９に示す全体（全機種）の稼働率・会員比率推移状況画面における稼働率％や、会員比率％、男性比率％、女性比率％の平均値が表示されるようになっており、このようにすることは、これら算出された各機種毎の稼働率％や、会員比率％、男性比率％、女性比率％の平均値を、前記全体（全機種）の稼働率％や、会員比率％、男性比率％、女性比率％の平均値と比較することで、双方の違いを簡便に把握できることから好ましいが、本発明はこれに限定されるものではなく、これら全体（全機種）の稼働率％や、会員比率％、男性比率％、女性比率％の平均値を各機種毎の稼働率・会員比率推移状況画面においては表示出力しない構成としても良い。
【００８４】
以上説明したように、本実施例の遊技用システムによれば、前記出力手段である表示装置１２７に、前記稼働率の推移状況を特定可能な情報である稼働率の推移グラフと時系列的な数値表示と、会員遊技者と非会員遊技者との比率の推移状況を特定可能な情報である会員比率の推移グラフと時系列的な数値表示とが併せて表示出力されるので、稼働率の推移を把握できるとともに、各時間帯において会員遊技者が多いのか非会員遊技者が多いのかを把握でき、その時間帯にどの遊技者を対象としたサービスを提供すれば良いのかを検討することができる。
【００８５】
前記実施例における各要素は、本発明に対して以下のように対応している。
本発明の請求項１は、遊技機（パチンコ機２）において遊技者が遊技中であるか否かを特定可能な情報並びに該遊技者が会員遊技者か否かを特定可能な情報（会員ＩＤ、会員カードＩＤ）が入力される情報入力手段（通信部１４９）と、該情報入力手段（通信部１４９）に入力された情報に基づいて、所定範囲に属する全遊技機（パチンコ機２）に占める遊技者が遊技中である遊技機（パチンコ機２）の割合である稼働率を所定の時間帯毎に算出する稼働率算出手段（ＣＰＵ１４２）と、前記情報入力手段（通信部１４９）に入力された情報に基づいて、前記所定範囲に属する遊技機（パチンコ機２）において遊技中である会員遊技者と非会員遊技者との比率（会員比率）を特定可能な情報を前記所定の時間帯毎に集計および／または算出する会員比率集計・算出手段（ＣＰＵ１４２）と、該稼働率算出手段（ＣＰＵ１４２）にて算出された稼働率および会員比率集計・算出手段（ＣＰＵ１４２）にて集計および／または算出された前記会員遊技者と非会員遊技者との比率（会員比率）を特定可能な情報に基づいて、前記稼働率の推移状況（推移グラフ、時系列的数値表示）と、会員遊技者と非会員遊技者との比率を特定可能な情報の推移状況（会員比率の推移グラフ、時系列的数値表示）とを併せて出力する出力手段（表示装置１４７、プリンタ１４８）を備える。
【００８６】
本発明の請求項２は、前記情報入力手段（通信部１４９）に入力される情報には、前記遊技機（パチンコ機２）の機種を特定可能な情報（台番号）を含み、
前記稼働率算出手段（ＣＰＵ１４２）は、所定の機種に属する全遊技機（パチンコ機２）に占める遊技者が遊技中である遊技機（パチンコ機２）の割合である稼働率を算出し、前記会員比率集計・算出手段（ＣＰＵ１４２）は、前記所定の機種に属する遊技機（パチンコ機２）において遊技中である会員遊技者と非会員遊技者との比率（会員比率）を特定可能な情報を集計および／または算出する。
【００８７】
本発明の請求項３は、前記遊技者が遊技中か否かを特定可能な情報は、遊技機（パチンコ機２）において遊技者が遊技を行っていることを条件として発生する遊技情報（補給情報、打込情報、始動情報）と、遊技機（パチンコ機２）の遊技状態を示す遊技状態情報（大当り情報１、大当り情報２）とを含み、前記稼働率算出手段（ＣＰＵ１４２）は、前記情報入力手段（通信部１４９）に前記遊技状態情報（大当り情報１、大当り情報２）が入力されておらず、かつ前記遊技情報（補給情報、打込情報、始動情報）が入力されていない期間が所定時間（３０秒）以上であるときに、前記遊技機（パチンコ機２）において遊技者が遊技中でないと認識して前記稼働率を算出する。
【００８８】
本発明の請求項４は、前記遊技者が会員遊技者か否かを特定可能な情報は、会員遊技者を個別に識別可能な会員識別情報（会員ＩＤ、会員カードＩＤ）とされ、該会員識別情報（会員ＩＤ、会員カードＩＤ）に対応付けて、当該会員遊技者の属性情報を記憶する属性情報記憶手段（記憶装置；１４５；会員属性情報テーブル）と、該属性情報記憶手段（記憶装置；１４５；会員属性情報テーブル）に記憶された属性情報（性別情報）に基づいて、会員遊技者を複数のグループに分類する分類手段（ＣＰＵ１４２）と、を備え、前記会員比率集計・算出手段（ＣＰＵ１４２）は、前記所定範囲に属する遊技機で遊技中の全会員遊技者に占める、前記分類手段（ＣＰＵ１４２）により分類された各グループに属する会員遊技者の比率である属性比率（女性比率、男性比率）を特定可能な情報（女性会員数）を集計および／または算出し、前記出力手段（表示装置１４７）は、前記属性比率（女性比率、男性比率）を特定可能な情報の推移状況を併せて出力する。
【００８９】
本発明の請求項５は、前記稼働率算出手段（ＣＰＵ１４２）にて算出された前記稼働率に基づいて、前記稼働率の一日の平均値を算出する平均稼働率算出手段（ＣＰＵ１４２）を備え、前記出力手段（表示装置１４７）は、前記平均稼働率算出手段（ＣＰＵ１４２）にて算出された前記一日の稼働率の平均値を特定可能な情報を併せて出力する。
【００９０】
本発明の請求項６は、前記会員比率集計・算出手段（ＣＰＵ１４２）にて集計および／または算出された前記会員遊技者と非会員遊技者との比率を特定可能な情報（会員比率）に基づいて、前記会員遊技者と非会員遊技者との比率を特定可能な情報の一日の平均値を算出する平均比率算出手段（ＣＰＵ１４２）を備え、前記出力手段（表示装置１４７）は、前記平均比率算出手段（ＣＰＵ１４２）にて算出された前記一日の会員遊技者と非会員遊技者との比率の平均値を特定可能な情報を併せて出力する。
【００９１】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもない。
【００９２】
例えば、前記実施例の遊技用システムでは、機種別稼働率テーブル（図６参照）において各時間の稼働率を算出して記憶するようにしているが、本発明はこれに限定されるものではなく、これら稼働率を、その時間において遊技中であるパチンコ機２の数を各機種や全体（全機種）において集計して登録しておき、前記図９や図１０に示される稼働率・会員比率推移状況画面を表示する際において稼働率を算出するようにしても良い。
【００９３】
また、前記実施例においては、前記稼働率と同様に会員比率・属性比率テーブル（図７参照）において、各時間の会員比率並びに女性会員比率を算出して記憶するようにしているが、本発明はこれに限定されるものではなく、これら会員比率並びに女性会員比率を、前記図９や図１０に示される稼働率・会員比率推移状況画面を表示する際において算出するようにしても良い。
【００９４】
また、前記実施例においては、機種別稼働率テーブル（図６参照）並びに会員比率・属性比率テーブル（図７参照）に示すように、各機種の稼働率や、会員比率並びに女性会員比率を算出して記憶しておき、前記図９に示す稼働率・会員比率推移状況画面における機種指定に基づいて、該指定された機種の稼働率や、会員比率並びに女性会員比率を機種別稼働率テーブル並びに会員比率・属性比率テーブルから抽出するようにしているが、本発明はこれに限定されるものではなく、前記機種別稼働率テーブル並びに会員比率・属性比率テーブルの各機種の項目には、各機種に属するパチンコ機の内、その時間において遊技中であるパチンコ機２の数のみを記憶するとともに、遊技者数や会員数並びに女性会員数のみを記憶しておき、機種の指定に基づいて、該指定された機種の項目に記憶されている前記遊技中であるパチンコ機２の数や、遊技者数や会員数並びに女性会員数を抽出して、該機種の稼働率や、会員比率並びに女性会員比率を算出するようにしても良い。
【００９５】
また、前記実施例においては、図１０に示すように、所定の機種として各機種毎の稼働率・会員比率推移状況画面を表示出力するようにしており、このようにすることは、遊技機の機種の仕様や導入期間などにより、元々機種毎に稼働率の善し悪しが存在することから、これら機種による稼働率の善し悪しに対応した検討が可能となることから好ましいが、本発明はこれに限定されるものではなく、これら機種毎の稼働率・会員比率推移状況画面の表示出力を実施しない構成としても良い。
【００９６】
更に、前記実施例では、所定の機種を各機種毎としているが、本発明はこれに限定されるものではなく、これら所定の機種として、遊技機の種類（パチンコ機、スロットマシン）や遊技機の種別（第１種パチンコ機、第２種パチンコ機、第３種パチンコ機）や現金機やＣＲ機等を用いるようにしても良い。
【００９７】
また、前記実施例においては、会員遊技者を分類する属性情報として性別を用い、該性別による属性比率である女性比率と男性比率を算出して、これら女性比率と男性比率を稼働率・会員比率推移状況画面に表示するようにしており、このようにすることは、属性比率である女性比率と男性比率の推移状況も併せて把握できるようになるため、各時間帯において女性或いは男性の会員遊技者が多いのか或いは少ないのかを把握でき、その時間帯に女性或いは男性の会員遊技者を対象としたサービスを提供すれば良いのかをより詳細に検討することができることから好ましいが、本発明はこれに限定されるものではなく、これら属性比率である女性比率と男性比率を算出や表示出力を実施しない構成としても良い。
【００９８】
また、前記実施例においては、会員遊技者を分類する属性情報として性別を用い、該性別による属性比率である女性比率と男性比率を算出するようにしているが、本発明はこれに限定されるものではなく、これらの属性による分類としては、例えば、年齢による分類であっても良いし、職業による分類であっても良く、これら分類に使用する属性情報は適宜に選定すれば良く、更に、分類されるグループの数も適宜に選定すれば良い。
【００９９】
また、前記実施例においては、一日の稼働率の平均値を算出して稼働率・会員比率推移状況画面に各時間帯の稼働率とともに表示出力するようにしており、このようにすることは、推移状況における各時間帯の稼働率が、稼働率の平均値からどの程度離れているかを簡便に把握でき、例えば、これら稼働率平均値からの離れ度合いに応じたサービスを検討できることから好ましいが、本発明はこれに限定されるものではなく、これら稼働率の平均値の算出、表示出力を実施しない構成としても良い。
【０１００】
また、前記実施例においては、一日の会員比率の平均値を算出して稼働率・会員比率推移状況画面に各時間帯の会員比率とともに表示出力するようにしており、このようにすることは、推移状況における各時間帯の会員比率が平均値からどの程度離れているかを簡便に把握でき、例えば、これら平均値からの離れ度合いに応じたサービスを検討できることから好ましいが、本発明はこれに限定されるものではなく、これら会員比率の平均値の算出、表示出力を実施しない構成としても良い。
【０１０１】
また、実施例の遊技用システムでは、出力手段として表示出力をする表示装置１４７を中心に説明したが、これら表示装置１４７に表示出力される内容を前記プリンタ１４８にて印刷出力するようにしても良い。
【０１０２】
また、前記実施例では、遊技状態情報として遊技機であるパチンコ機２において大当り中に継続的に出力される大当り１信号と、大当り中および確率変動中において出力される大当り２信号を例に説明しているが、本発明はこれに限定されるものではなく、例えばパチンコ機２が大当りの終了後に始動入賞がし易い通常有利状態となる場合には、該通常有利状態であることを示す「時短信号」を遊技状態情報として含むようにし、該「時短信号」の入力がある場合においては、大当り１信号や大当り２信号の入力が有る場合と同様に、遊技者が遊技中である「稼働中」と判定するようにしても良い。
【０１０３】
また、前記実施例においては、稼働率の推移グラフとして折線グラフを使用したが、これら折線グラフは複数の機種の稼働率の推移を表示するのに好適であるが、本発明はこれに限定されるものではなく、これらグラフ表示の形態としてその他の形態のグラフ、例えば前述したように、棒状グラフ等を立体視的に表示するようにしても良い。
【０１０４】
また、前記実施例においては、前記パチンコ機２から出力される各種信号を、前記カードユニット３の信号入力部３３２に入力し、該カードユニット３を介してホールコンピュータ１４０に各種信号の入力状況を送信するようにしているが、本発明はこれに限定されるものではなく、これらパチンコ機２から出力される各種信号を専用の中継ユニット等を介してホールコンピュータ１４０に伝送して入力するようにしても良い。
【０１０５】
また、前記実施例においては、遊技機の一例としてパチンコ玉を用いて遊技を行う通常のパチンコ機２を適用しているが、本発明はこれに限定されるものではなく、その他の遊技機、例えばメダルやパチンコ玉を用いて遊技を行うスロットマシンやパチンコ玉が内部で循環する循環式パチンコ機や、メダルやパチンコ玉を用いることなくクレジットを用いて遊技を行う完全クレジット式のスロットマシン等の遊技機を適用しても良い。
【０１０６】
また、前記実施例では、遊技機の機種を特定可能な情報として台番号を用いているが、本発明はこれに限定されるものではなく、これら台番号に代えて、カードユニット３に固有に付与された装置ＩＤと該カードユニット３が対応するパチンコ機２の機種とをホールコンピュータ１００に登録しておき、該装置ＩＤを遊技機の機種を特定可能な情報として使用するようにしても良い。
【０１０７】
また、前記実施例では、会員遊技者と非会員遊技者との比率を特定可能な情報として会員比率を百分率（％）にて表示するようにしているが、本発明はこれに限定されるものではなく、これら会員遊技者と非会員遊技者との比率を特定可能な情報としては、例えば、全体（全機種）であれば遊技中の全遊技者数と遊技中の会員遊技者数を、各機種であれば、当該機種において遊技中の遊技者数と遊技中の会員遊技者数を表示するようにしても良いし、更には、会員比率とともに非会員比率を表示したり、逆に非会員比率のみを表示するようにしても良い。
【０１０８】
また、前記実施例では、各グループに属する会員遊技者の比率である属性比率としての男性比率と女性比率とを、百分率（％）にて表示するようにしているが、本発明はこれに限定されるものではなく、これら属性比率である男性比率と女性比率を特定可能な情報としては、例えば、全体（全機種）であれば遊技中の全会員遊技者数と遊技中の全女性（男性）会員遊技者数を、各機種であれば、当該機種において遊技中の会員遊技者数と遊技中の女性（男性）会員遊技者数を表示するようにしても良い。
【０１０９】
【発明の効果】
本発明は次の効果を奏する。
（ａ）請求項１の発明によれば、稼働率の推移状況を特定可能な情報と会員遊技者と非会員遊技者との比率の推移状況を特定可能な情報とが併せて出力されるので、稼働率の推移を把握し、サービスの提供に適した時間帯の検討ができるとともに、その時間帯において会員遊技者が多いのか非会員遊技者が多いのかを把握し、その時間帯にどの遊技者を対象としたサービスを提供すれば良いのかを検討することができる。
【０１１０】
（ｂ）請求項２の発明によれば、遊技機の機種の仕様や導入期間などにより、元々機種毎に稼働率や会員遊技者と非会員遊技者との比率に特色があるところ、これら機種毎の特色を考慮した検討が可能となる。
【０１１１】
（ｃ）請求項３の発明によれば、情報入力手段に遊技状態情報が入力されておらず、且つ遊技情報が入力されていない期間が所定時間以上であるときに、前記遊技機において遊技者が遊技中でない、つまり非稼働と認識して前記稼働率が算出されるようになるため、例えば確変中に遊技者が離席等した場合においても、離席等を考慮した正確な稼働率を算出できる。
【０１１２】
（ｄ）請求項４の発明によれば、前記属性比率の推移状況も併せて把握できるようになるため、各時間帯においてどの属性の会員遊技者が多いのか或いは少ないのかを把握でき、サービスを提供する時間帯にどの属性の会員遊技者を対象としたサービスを提供すれば良いのかをより詳細に検討することができる。
【０１１３】
（ｅ）請求項５の発明によれば、平均稼働率算出手段にて算出された一日の稼働率の平均値が稼働率の推移状況とともに出力されることで、推移状況における各稼働率が稼働率の平均値からどの程度離れているかを簡便に把握でき、例えば、これら稼働率の平均値からの離れ度合いに応じたサービスを検討できる。
【０１１４】
（ｆ）請求項６の発明によれば、平均比率算出手段にて算出された会員遊技者と非会員遊技者との比率の一日の平均値を特定可能な情報が、会員遊技者と非会員遊技者との比率を特定可能な情報の推移状況とともに出力されることで、推移状況における会員遊技者と非会員遊技者との各比率が平均値からどの程度離れているかを簡便に把握でき、例えば、平均値からの離れ度合いに応じたサービスを検討できる。
【図面の簡単な説明】
【図１】本発明の実施例における管理装置としてのホールコンピュータが適用された遊技用システムの構成を示す図である。
【図２】本発明の実施例において用いたパチンコ機並びにカードユニットの正面図である。
【図３】本発明の実施例におけるカードユニットの構成を示すブロック図である。
【図４】本発明の実施例におけるホールコンピュータの構成を示すブロック図である。
【図５】（ａ）は、本発明の実施例に用いたホールコンピュータの会員属性情報テーブルを示す図であり、（ｂ）は、本発明の実施例に用いたホールコンピュータの遊技情報テーブルを示す図である。
【図６】本発明の実施例に用いたホールコンピュータの機種別稼働率テーブルを示す図である。
【図７】本発明の実施例に用いたホールコンピュータにおける会員比率・属性比率テーブルを示す図である。
【図８】本発明の実施例に用いたホールコンピュータにおける稼働率識別表示設定画面を示す図である。
【図９】本発明の実施例に用いたホールコンピュータにおける稼働率推移状況表示画面（全体）を示す図である。
【図１０】本発明の実施例に用いたホールコンピュータにおける稼働率推移状況表示画面（機種ａ）を示す図である。
【図１１】本発明の実施例に用いたホールコンピュータにおける稼働判定処理の内容を示すフロー図である。
【符号の説明】
２        パチンコ機
３        カードユニット
１４０    ホールコンピュータ
１４２    ＣＰＵ
１４５    記憶装置
１４６    入力装置
１４７    表示装置
１４８    プリンタ
【図１】
2004298250.tif 000003
【図２】
2004298250.tif 000004
【図３】
2004298250.tif 000005
【図４】
2004298250.tif 000006
【図５】
2004298250.tif 000007
【図６】
2004298250.tif 000008
【図７】
2004298250.tif 000009
【図８】
2004298250.tif 000010
【図９】
2004298250.tif 000011
【図１０】
2004298250.tif 000012
【図１１】
2004298250.tif 000013